(57)【要約】  【課題】  心理状態の色表現を短時間で簡便に測定することができる心理状態分析支援装置を提供する。  【解決手段】  複数種類の色に関する色情報を記憶したサンプル色情報記憶部１と、表示装置２と、入力装置３と、サンプル色情報記憶部１に記憶されている色情報に基づき複数種類の色を含むカラーマップを表示装置２の画面に表示する表示制御部４と、入力装置３により被験者が指定したカラーマップ上の色の色情報をサンプル色情報記憶部１から取得して出力する選択色情報出力部５とを備えた心理状態分析支援装置。【選択図】  図１
2005224300.tif 000002
【特許請求の範囲】
【請求項１】
複数種類の色に関する色情報を記憶した色情報記憶部と、
表示装置と、
被験者が指定する色を入力する入力装置と、
前記色情報記憶部に記憶されている色情報に基づき複数種類の色を含むカラーマップを前記表示装置の画面に表示する表示制御部と、
前記入力装置により被験者が入力したカラーマップ上の色の色情報を前記色情報記憶部から取得して出力する選択色情報出力部とを備えたことを特徴とする心理状態分析支援装置。
【請求項２】
前記表示制御部が、色境界がなく連続的に色が変化するカラーマップを前記表示装置の画面に表示する、請求項１記載の心理状態分析支援装置。
【請求項３】
前記表示制御部が、複数種類のカラーマップの中から、被験者による前記入力装置の操作に従い、選択的にカラーマップを表示する、請求項１記載の心理状態分析支援装置。
【請求項４】
前記表示制御部が、明度、彩度、および色相の少なくとも一つが経時的に変化するカラーマップを前記表示装置の画面に表示する、請求項１記載の心理状態分析支援装置。
【請求項５】
前記入力装置がマウスである、請求項１記載の心理状態分析支援装置。
【請求項６】
前記入力装置がトラックボールである、請求項１記載の心理状態分析支援装置。
【請求項７】
前記入力装置が前記画面上に配置されたタッチパネルである、請求項１記載の心理状態分析支援装置。
【発明の詳細な説明】
【技術分野】
【０００１】
本発明は、色による心理状態分析を支援する心理状態分析支援装置に関する。
【背景技術】
【０００２】
精神状態や心理状態を、色彩、明度、彩度など色のパラメータを用いて表現する方法は、言語によって精神状態や心理状態を表現するよりも直感的でイメージが広いという特徴から、以前より広く用いられている。例えば非特許文献１には、幼児の描いた絵の色彩から心理状態を分析することが記載されている。非特許文献１においては、被験者に描かせた絵画の色彩を分析することにより、その被験者の精神状態や心理状態を分析する手法を用いている。例えば、震災にあった子供の心境を、黒く描かれた太陽から推測することができる。
【０００３】
また、色にはそれぞれ固有の性質があり、さらに、人は自分の性格と同じ性質を持つ色を選ぶ傾向がある、と言われている。例えば、赤には活発で外向的な性質があり、緑には現実的で堅実、安心というような性質があるとされている（非特許文献２参照）。
【０００４】
この他に、人間関係に係る被験者の精神状態を簡便に分析する方法として、コンピュータのディスプレイ上に多数の着色領域を表示し、被験者に被験者自身を表す色で着色させた着色領域と、関係者を表す色で着色させた着色領域との位置関係に基づいて、被験者の現在の心理状態を把握する方法も知られている（特許文献１参照）。
【特許文献１】特開２００２−３６０５４７号公報（第５頁、図８）
【非特許文献１】末永蒼生著「心を元気にする色彩セラピー」、ＰＨＰ研究所、２００１年１月発行
【非特許文献２】本明寛著「いままで気づかなかった自分がわかる心理学練習帳」、ｐｐ．３８−３９、東京書籍、２００２年１２月発行
【発明の開示】
【発明が解決しようとする課題】
【０００５】
しかしながら、非特許文献１に記載されているような従来の方法では、被験者に絵画を作成させなければならないので、時間を要する。このため、たとえば日々の心理状態を把握しようとする場合においては、的確な方法とは言えない。
【０００６】
本発明は、このような従来の問題を解決し、短時間で色による心理状態分析を可能とする心理状態分析支援装置を提供することを目的とする。
【課題を解決するための手段】
【０００７】
上記の目的を達成するために、本発明にかかる心理状態分析支援装置は、複数種類の色に関する色情報を記憶した色情報記憶部と、表示装置と、入力装置と、前記色情報記憶部に記憶されている色情報に基づき複数種類の色を含むカラーマップを前記表示装置の画面に表示する表示制御部と、前記入力装置により被験者が指定したカラーマップ上の色の色情報を前記色情報記憶部から取得して出力する選択色情報出力部とを備えたことを特徴とする。
【発明の効果】
【０００８】
本発明の心理状態分析支援装置によれば、表示画面上にカラーマップを表示し、入力装置を用いて被験者にカラーマップ上の色を指定させることにより、短時間で簡便に入力を行なう心理分析支援装置を提供することができる。
【発明を実施するための最良の形態】
【０００９】
本発明の心理状態分析支援装置において、前記表示制御部が、色境界がなく連続的に色が変化するカラーマップを前記表示装置の画面に表示することが好ましい。このことで、より微妙な色の指定ができ、より精密な心理状態の分析を行なうことができる。
【００１０】
本発明の心理状態分析支援装置において、前記表示制御部が、複数種類のカラーマップの中から、被験者による前記入力装置の操作に従い、選択的にカラーマップを表示することが好ましい。これにより、より微妙な色の指定ができ、より精密な心理状態の分析を行なうことができる。
【００１１】
本発明の心理状態分析支援装置において、前記表示制御部が、明度、彩度、および色相の少なくとも一つが経時的に変化するカラーマップを前記表示装置の画面に表示することが好ましい。
【００１２】
また、本発明の心理状態分析支援装置において、前記入力装置が、マウス、トラックボール、またはタッチパネルであることが好ましい。入力を短時間に簡便に行なうことができるからである。
【００１３】
以下、本発明の具体的な実施形態にかかる心理状態分析支援装置について、図面を用いて説明する。
【００１４】
本発明の一実施形態にかかる心理状態分析支援装置１０は、図１に示すように、サンプル色情報記憶部１、表示装置２、入力装置３、表示制御部４、選択色情報出力部５、および分析部６を備えている。なお、本実施形態では、心理状態分析支援装置１０をパーソナルコンピュータで実現する例を説明する。
【００１５】
サンプル色情報記憶部１は、例えばハードディスク等で構成され、心理状態の分析に用いられる複数種類のサンプル色の各々に関して、各色を特定するための色情報を記憶している。この色情報としては、例えば、各色に固有に付与された色コードを用いても良いし、各色の特性を表す色彩、明度、彩度等のパラメータを用いても良い。
【００１６】
表示装置２としては、ＣＲＴディスプレイや液晶ディスプレイ等の任意のディスプレイを用いることができる。入力装置３としては、例えばマウス、キーボード、トラックボール、タッチパネル等の任意の入力デバイスを用いることができる。特に、タッチパネルを用いると、コンピュータに不慣れな被験者であっても、操作が容易であるという利点がある。
【００１７】
表示制御部４は、サンプル色情報記憶部１に記憶されている色情報に基づき、複数種類のサンプル色を含むカラーマップを、表示装置２の画面に表示する。
【００１８】
選択色情報出力部５は、被験者が入力装置３を用いてカラーマップ上のいずれかのサンプル色を選択すると、被験者が選択したサンプル色の色情報をサンプル色情報記憶部１から取得し、出力する。
【００１９】
本実施形態では、選択色情報出力部５による出力結果は、分析部６へ送られる。分析部６は、選択色情報出力部５から送られる出力結果に基づいて、所定のプログラムにより、被験者の心理状態を分析する。しかし、本発明は、本実施形態のように心理状態の分析まで自動的に行う構成には限定されない。例えば、選択色情報出力部５による出力結果を表示装置２または分析者用の表示装置（図示せず）に表示し、もしくは、プリンタ等へ送って印刷出力させ、分析者が、この出力結果に基づいて、被験者の心理状態を分析することとしても良い。また、本発明は、被験者が選択した色をその場で即座に分析する場合に限定されず、選択色情報出力部５による出力結果を例えば数回分蓄積し、その経緯を観察することによって心理状態を分析することも考えられる。さらに、遠隔地にいる分析者（あるいは遠隔地にある分析用コンピュータ）へ、選択色情報出力部５による出力結果を送信し、分析結果を返信する仕組みとしても良い。
【００２０】
ここで、本実施形態の心理状態分析支援装置１０の動作について説明する。
【００２１】
最初に、被験者に、被験者の現状の心理状態に合った色を選択させるために、例えば図２に示すような、複数種類のサンプル色を含むカラーマップ２１を、表示装置２に表示する。このとき、表示制御部４が、サンプル色情報記憶部１に記憶されている色情報に基づき、カラーマップを作成し、表示装置２に表示させる。このとき、表示制御部４は、入力装置３の操作に応じて画面上で任意の方向に移動可能なカーソル２２を、画面上に表示する。なお、図２は白黒表示であるが、実際はカラー表示されることは言うまでもない。また、図２に例示したカラーマップは、サンプル色を、明度、色相、彩度等に応じて縦６色×横６色に二次元配置したものであるが、カラーマップに含まれるサンプル色の数およびカラーマップの表示形態は、これに限定されない。カラーマップの他の例のいくつかについては、後述する。
【００２２】
被験者は、入力装置３を操作することによって、画面に表示されたカラーマップ２１に含まれるサンプル色のうち、自らの心理状態に適していると考えられる色を選択する。すなわち、例えば入力装置３がマウスである場合であれば、マウスを動かして、画面上で所望のサンプル色が表示されている位置にカーソル２２を移動させ、その位置でマウスをクリック（あるいはダブルクリック）する。
【００２３】
マウスがクリックされると、マウスがクリックされた位置の情報が、選択色情報出力部５へ送られる。そして、選択色情報出力部５は、マウスがクリックされた位置の情報に基づいて、その位置に表示されているサンプル色の色情報を、サンプル色情報記憶部１から取得する。ここで、選択色情報出力部５によりサンプル色情報記憶部１から取得される色情報は、前述したように、例えば、色コード、あるいは、明度、色相、彩度等のパラメータである。なお、ここで用いる「明度」、「彩度」、「色相」は、マンセル（A.H.Munsell）の考案による色票集に基づき、１９４３年に米国光学会（Optical Society of America）の測色委員会で尺度を修正・決定したマンセル表色系における用語である。本実施形態では、選択色情報出力部５は、取得した色情報を、分析部６へ出力する。
【００２４】
色は、色毎に固有の性質を持ち、さらに、人は自分の性格と同じ性質の色を選ぶ傾向があると言われている。例えば、赤は活発で外向的な性質、緑は現実的で堅実、安心というような性質があるとされている。また、色相が同じであっても、明度が異なれば、その性質の度合いも変化する。例えば、明度の高い（明るい）緑に対して、明度の低い(暗い)緑の方が堅実度が高い、という分析ができる。このようなプログラムをもとに、分析部６は、被験者の選択した色から、被験者の性格や心理状態を分析し、その結果を表すデータを出力する。
【００２５】
以上のように、本実施形態にかかる心理状態分析支援装置１０によれば、画面に表示された複数のサンプル色の中から、いずれかのサンプル色を被験者に選択させるだけで、色を用いた心理分析を簡便に行うことができる。また、被験者が選択した色に基づいて心理分析者が分析を行っても良いし、あらかじめ定められたプログラムに基づいて心理分析まで自動的に行っても良い。さらに、被験者に選択させる色は、一色だけに限定されない。例えば、被験者に複数色を選択させて、その組み合わせから心理分析を行うことも可能である。
【００２６】
なお、前述のように、カラーマップの表示態様は、図２に示した例のみに限定されるものではない。以下、本発明にかかるカラーマップの他の表示態様について説明する。
【００２７】
例えば、図３に示すカラーマップ３１は、色境界がなく連続的に色が変化するように表示したものである。カラーマップ３１上でサンプル色の色分けが非常に細かく行なわれているので、被験者の心理状態をより厳密に表す色を選択させることが可能である。例えば、図２に示したカラーマップ２１のように境界が明瞭なカラーマップの場合は、例えば「上から２番目、右から３番目」というように、被験者が毎回同じ位置を選んでサンプル色を選択することも可能であり、心理状態の微妙な変化をつかむことが難しい。これに対して、図３に示すカラーマップ３１の場合は、被験者の心理状態がより正確に反映された選択結果を得ることができる。
【００２８】
また、複数種類のカラーマップの中から、被験者による入力装置３の操作に従い、選択的にいずれかのカラーマップを表示するようにしても良い。例えば、図４に示すように、表示装置２の画面２０上に、カラーマップ４１と共に、マップ切替ボタン４３，４４が表示される。そして、被験者が、入力装置３を操作して、カーソル２２をマップ切替ボタン４３または４４に合わせて選択操作（例えば入力装置３がマウスの場合はクリック等）を行うことにより、表示制御部４にマップ切替命令が入力され、表示制御部４が、表示装置２の画面に表示するカラーマップの切替えを行う。これにより、それまで表示されていたカラーマップ４１とは異なるカラーマップ（例えば色相および彩度は同一であるが、明度が異なるカラーマップなど）が表示される。このように、複数のカラーマップからサンプル色を選択可能とすることにより、被験者の選択範囲が広がり、被験者の心理状態に適した色をより細かく選択させることが可能となる。
【００２９】
なお、図４の例では、マップ切替ボタン４３，４４をクリックすることにより、一定の順次でカラーマップが切替え表示されるものとし、例えばマップ切替えボタン４３をクリックすれば明度が大きくなり、マップ切替えボタン４４をクリックすれば明度が小さくなるものとする。しかし、表示カラーマップの切替え方法はこの例に限定されず、このように何らかの規則性を持って切替えを行っても良いし、全くランダムな切替えを行っても良い。
【００３０】
あるいは、明度、彩度、および色相の少なくとも一つが経時的に変化するようなカラーマップを表示するようにしても良い。例えば、色相と彩度が一定で、時間により明度が変化するカラーマップを表示する場合は、表示制御部４が、図５（ａ）に示すように明度が拍動するように、表示装置２への出力信号を制御する。
【００３１】
図５（ｂ）に、このように明度を変化させるための表示制御部４の構成例を示す。カウンタ５１は時間を計数するものである。明度データメモリ５２には、図５（ａ）に示したような経時的な明度の変化を数値で表したデータが記憶されている。カラーマップメモリ５３には、カラーマップの画像データ（ＲＧＢデータ）が格納されている。なお、上述のように、複数のカラーマップからいずれかを選択して表示する場合は、どのカラーマップが選択されたかを表すマップ選択データが、カラーマップメモリ５３へ入力される。
【００３２】
データカウンタ５１で計数された時間データは、明度データメモリ５２へ与えられ、これを基として時間に応じた明度データが乗算器５４〜５６に出力される。そして、乗算器５４〜５６のそれぞれにおいて、カラーマップメモリ５３から出力されるＲＧＢデータと明度データとが乗算されることにより、経時的に明度が変化するＲＧＢデータが生成される。このＲＧＢデータは、表示装置２へ送られ、表示される。
【００３３】
なお、この場合、被験者は、カラーマップの表示状態の変化にタイミングを合わせて、選択操作を行うことになる。従って、明度等の変動周期は、被験者がサンプル色の変動を検知でき、かつ、その変動のタイミングに合わせて所望の色の選択入力ができる程度に調整することが好ましい。
【産業上の利用可能性】
【００３４】
以上のように、本発明にかかる心理状態分析支援装置は、画面上に表示したカラーマップ上の色を、入力装置により被験者に選択させるだけで、簡便に心理分析を行える心理状態分析支援装置として有用である。
【図面の簡単な説明】
【００３５】
【図１】本発明の一実施形態にかかる心理状態分析支援装置の概略構成を示すブロック図である。
【図２】本発明の一実施形態にかかる心理状態分析支援装置の画面表示の一例を表す説明図である。
【図３】本発明の一実施形態にかかる心理状態分析支援装置の画面表示の他の例を表す説明図である。
【図４】本発明の一実施形態にかかる心理状態分析支援装置の画面表示のさらに他の例を表す説明図である。
【図５】（ａ）は、本発明の一実施形態にかかる心理状態分析支援装置において、画面表示を経時的に変化させる様子を示す説明図、（ｂ）は、同心理状態分析支援装置の表示制御部の内部構成例を示すブロック図である。
【符号の説明】
【００３６】
１    サンプル色情報記憶部
２    表示装置
３    入力装置
４    表示制御部
５    選択色情報出力部
６    分析部
１０  心理状態分析支援装置
２０  画面
２１，３１，４１  カラーマップ
２２  カーソル
４３，４４  カラーマップ選択ボタン
５１  カウンタ
５２  明度データメモリ
５３  カラーマップメモリ
５４〜５６  乗算器
【図１】
2005224300.tif 000003
【図２】
2005224300.tif 000004
【図３】
2005224300.tif 000005
【図４】
2005224300.tif 000006
【図５】
2005224300.tif 000007